(57)【特許請求の範囲】
【請求項１】
通信端末がネットワーク装置を介して他の通信端末と通信を行う情報提供システムにおいて、
通信端末が利用可能な情報を予め登録した提示情報格納手段と、
発信要求により上記通信端末が上記ネットワーク装置に接続され他の通信端末を呼出す際に、上記提示情報格納手段にて登録された情報を発信側の通信端末に送信する提示情報送信制御手段と
を有し、
上記提示情報格納手段は、発信側及び着信側の通信端末に係る情報及び該関連する情報の識別が可能な識別情報と、該識別情報に対応付けられた情報の出力形態を指定する情報を、特定の発信先を表す番号またはその他の発信先を表す番号に関連付けて予め登録し、
上記提示情報送信制御手段は、通信端末からの発信要求があった場合に、その発呼要求に含まれた発信先を表す番号が前記特定の発信先を表す番号と一致しているか否かに基づいて、前記発呼要求に含まれた発信先を表す番号が前記特定の発信先を表す番号と一致している場合には、上記提示情報格納手段に登録された着信側の通信端末に係る情報を発信側の通信端末に送信し、前記発呼要求に含まれた発信先を表す番号が前記特定の発信先を表す番号と一致していない場合には、上記提示情報格納手段に登録された発信側の通信端末に係る情報を発信側の通信端末に送信する情報提供システム。
【請求項２】
請求項１記載の情報提供システムにおいて、
上記提示情報格納手段は、通信端末が利用可能な情報と共にその情報を識別するための識別情報を登録する識別情報格納手段  を有し、
上記提示情報送信制御手段は、上記識別情報格納手段にて登録された識別情報と、該識別情報に対応付けられた情報の出力形態を指定する情報とを登録する提示情報管理手段  を有し、
発信要求により通信端末が上記ネットワーク装置に接続され他の通信端末を呼出す際に、上記提示情報格納手段にて格納された情報のなかから上記提示情報管理手段で登録された識別情報に対応した情報を抽出し、その抽出で得られた情報を該通信端末に対して送信する情報提供システム。
【請求項３】
請求項２記載の情報提供システムにおいて、
上記提示情報管理手段は、上記識別情報格納手段にて登録された識別情報と、該識別情報に対応付けられた情報の出力形態を指定する情報とを組にして順位づけする順位付手段  を有し、
上記提示情報送信制御手段は、通信端末からの発信要求があったときに、上記提示情報格納手段にて格納された情報のなかから上記順位付手段にて順位付けられた順位のうち優先順位が高い識別情報に対応付けられた情報から抽出を行い、その抽出で得られた情報を発信側の通信端末に対して送信する情報提供システム。
【請求項４】
請求項２記載の情報提供システムにおいて、
上記提示情報管理手段は、上記識別情報格納手段にて登録された識別情報及び該識別情報に対応付けられた情報の出力形態を指定する情報を、着信先の通信端末を特定する番号またはその他の着信先を表す番号に関連付けて登録する着信先提示情報管理手段  を有し、
上記提示情報送信制御手段は、通信端末からの発信要求があったときに、上記提示情報格納手段にて格納された情報のなかから上記着信先提示情報管理手段にて登録された着信先の通信端末を特定する番号またはその他の着信先を表す番号に関連付けられて登録された識別情報と対応関係にある情報を抽出し、その抽出で得られた情報を該通信端末に対して送信する情報提供システム。
【請求項５】
請求項１記載の情報提供システムにおいて、
上記提示情報格納手段は、発信側の通信端末及び着信側の通信端末に係る情報と、該関連する情報の識別が可能な識別情報とを個々の通信端末に割当てられた情報毎に予め登録する発着信通信端末情報格納手段
を有し、
上記提示情報送信制御手段は、通信端末からの発信要求に基づいて上記発着信通信端末情報格納手段に登録された発信側の通信端末または着信側の通信端末に係る情報のいずれかを発信側の通信端末に送信する情報提供システム。
【請求項６】
請求項５記載の情報提供システムにおいて、
上記発着信通信端末情報格納手段にて登録された発信側の通信端末に係る情報の識別情報及び該識別情報に対応付けられた情報の出力形態を指定する情報を特定の発信先を表す番号またはその他の発信先を表す番号に関連付けて登録する発信時提示情報管理手段と、
上記発着信通信端末情報格納手段にて登録された着信側の通信端末に係る情報の識別情報及び該識別情報に対応付けられた情報の出力形態を指定する情報を特定の発信先を表す番号またはその他の発信先を表す番号に関連付けて登録する着信時提示情報管理手段と  を有し、
上記提示情報送信制御手段は、
通信端末から発呼要求があったときに、その発呼要求に含まれた発信先を表す番号が上記発信時提示情報管理手段に登録された特定の発信先を表す番号と一致しているか否かを判定する発信先判定手段と、
この発信先判定手段によって上記発呼要求に含まれた発信先を表す番号が上記特定の発信先を表す番号と一致していたと判定された場合に、上記着信時提示情報管理手段を参照して発信側となる上記通信端末に対し開示可能な情報を選択する着信先提示情報選択手段と
を有し、
この着信先提示情報選択手段に従って上記提示情報格納手段に登録された情報を抽出して発信側の通信端末に送信する情報提供システム。
【請求項７】
請求項６記載の情報提供システムにおいて、
上記提示情報送信制御手段は、
上記発信先判定手段で上記発呼要求に含まれた発信先を表す番号が上記特定の発信先を表す番号と一致していなかったと判定された場合に、上記発信時提示情報管理手段を参照してその他の発信先を表す番号に関連付けて登録された発信側の通信端末に係る情報の識別情報及び該識別情報に対応付けられた情報の出力形態を指定する情報に基づいて、発信側通信端末に対し開示可能な情報を選択する発信先提示情報選択手段  を有し、
この発信先提示情報選択手段に従って上記提示情報格納手段に登録された情報を抽出して発信側の通信端末に送信する情報提供システム。
【請求項８】
請求項１乃至７いずれか一項記載の情報提供システムにおいて、
上記提示情報送信制御手段は、通信端末からの発呼要求に識別情報が含まれた場合、当該識別情報に対応付けられた情報を上記提示情報格納手段に格納された情報から抽出して発信側の通信端末に送信する情報提供システム。
【請求項９】
請求項２乃至７いずれか一項記載の情報提供システムにおいて、
上記識別情報に対応付けられた情報の出力形態が音声、画像、テキストの少なくとも一つとなる情報提供システム。
【請求項１０】
ネットワーク装置を介して他の通信端末と通信を行う通信端末において、
通信端末は自端末で利用可能な情報を予め登録する提示情報格納手段と、
発信要求により上記通信端末が上記ネットワーク装置に接続され他の通信端末を呼出す際に、上記提示情報格納手段にて登録された情報を発信側の通信端末に送信する提示情報送信制御手段と  を有し、
上記提示情報格納手段は、発信側及び着信側の通信端末に係る情報及び該関連する情報の識別が可能な識別情報と、該識別情報に対応付けられた情報の出力形態を指定する情報を、特定の発信先を表す番号またはその他の発信先を表す番号に関連付けて予め登録し、
上記提示情報送信制御手段は、通信端末からの発信要求があった場合に、その発呼要求に含まれた発信先を表す番号が前記特定の発信先を表す番号と一致しているか否かに基づいて、前記発呼要求に含まれた発信先を表す番号が前記特定の発信先を表す番号と一致している場合には、上記提示情報格納手段に登録された着信側の通信端末に係る情報の提示を行い、前記発呼要求に含まれた発信先を表す番号が前記特定の発信先を表す番号と一致していない場合には、上記提示情報格納手段に登録された発信側の通信端末に係る情報の提示を行う通信端末。
【請求項１１】
請求項１０記載の通信端末において、
上記提示情報格納手段は、通信端末が利用可能な情報と共にその情報を識別するための識別情報を登録する識別情報格納手段  を有し、
上記識別情報格納手段にて登録された識別情報と、該識別情報に対応付けられた情報の出力形態を指定する情報とを登録する提示情報管理手段と、
発信要求により通信端末が上記ネットワーク装置に接続され他の通信端末を呼出す際に、上記提示情報格納手段にて格納された情報のなかから上記提示情報管理手段で登録された識別情報に対応した情報を抽出し、その抽出で得られた情報を該通信端末に対して送信する提示情報送信制御手段とを有する通信端末。
【請求項１２】
請求項１１記載の通信端末において、
上記提示情報管理手段は、
上記識別情報格納手段にて登録された識別情報と、該識別情報に対応付けられた情報の出力形態を指定する情報とを組にして順位づけする順位付手段  を有し、
通信端末からの発信要求があったときに、上記提示情報格納手段にて格納された情報のなかから上記順位付手段にて順位付けられた順位のうち優先順位が高い識別情報に対応付けられた情報から抽出を行い、その抽出で得られた情報を発信側の通信端末に対して送信する提示情報送信制御手段とを有する通信端末。
【請求項１３】
請求項１１記載の通信端末において、
上記提示情報管理手段は、上記識別情報格納手段にて登録された識別情報及び該識別情報に対応付けられた情報の出力形態を指定する情報を、着信先の通信端末を特定する番号またはその他の着信先を表す番号に関連付けて登録する着信先提示情報管理手段  を有し、
通信端末からの発信要求があったときに、上記提示情報格納手段にて格納された情報のなかから上記着信先提示情報管理手段にて登録された着信先の通信端末を特定する番号またはその他の着信先を表す番号に関連付けて登録された識別情報と対応関係にある情報を抽出し、その抽出で得られた情報を該通信端末に対して送信する提示情報送信制御手段と  を有する通信端末。
【請求項１４】
請求項１１乃至１３いずれか一項記載の通信端末において、
上記通信端末は、当該通信端末からの発呼要求に上記発着信通信端末情報格納手段に登録された識別情報が含まれていた場合、当該識別情報に対応付けられた情報を上記提示情報格納手段に格納された情報から抽出して発信側の通信端末に送信する提示情報送信制御手段を有するネットワーク装置。
【請求項１５】
請求項１１乃至１３いずれか一項記載の通信端末において、
上記識別情報に対応付けられた情報の出力形態が音声、画像、テキストの少なくとも一つとなる通信端末。
【請求項１６】
通信端末間の通信を中継するネットワーク装置において、
上記ネットワーク装置は、
通信端末が利用可能な情報を予め登録する提示情報格納手段と、
発信要求により上記通信端末が上記ネットワーク装置に接続され他の通信端末を呼出す際に、上記提示情報格納手段にて登録された情報を発信側の通信端末に送信する提示情報送信制御手段と  を有し、
上記提示情報格納手段は、発信側及び着信側の通信端末に係る情報及び該関連する情報の識別が可能な識別情報と、該識別情報に対応付けられた情報の出力形態を指定する情報を、特定の発信先を表す番号またはその他の発信先を表す番号に関連付けて予め登録し、
上記提示情報送信制御手段は、通信端末からの発信要求があった場合に、その発呼要求に含まれた発信先を表す番号が前記特定の発信先を表す番号と一致しているか否かに基づいて、前記発呼要求に含まれた発信先を表す番号が前記特定の発信先を表す番号と一致している場合には、上記提示情報格納手段に登録された着信側の通信端末に係る情報を発信側の通信端末に送信し、前記発呼要求に含まれた発信先を表す番号が前記特定の発信先を表す番号と一致していない場合には、上記提示情報格納手段に登録された発信側の通信端末に係る情報を発信側の通信端末に送信するネットワーク装置。
【請求項１７】
請求項１６記載のネットワーク装置において、
上記ネットワーク装置は、
発信側の通信端末及び着信側の通信端末に係る情報と、該関連する情報の識別が可能な識別情報とを個々の通信端末に割当てられた情報毎に予め登録する発着信通信端末情報格納手段と、
通信端末からの発信要求に基づいて上記発着信通信端末情報格納手段に登録された発信側の通信端末または着信側の通信端末に係る情報のいずれかを発信側の通信端末に送信する提示情報送信制御手段  を有するネットワーク装置。
【請求項１８】
請求項１７記載のネットワーク装置において、
上記ネットワーク装置は、
上記発着信通信端末情報格納手段にて登録された発信側の通信端末に係る情報の識別情報及び該識別情報に対応付けられた情報の出力形態を指定する情報を特定の発信先を表す番号またはその他の発信先を表す番号に関連付けて登録する発信時提示情報管理手段と、
上記発着信通信端末情報格納手段にて登録された着信側の通信端末に係る情報の識別情報及び該識別情報に対応付けられた情報の出力形態を指定する情報を特定の発信先を表す番号またはその他の発信先を表す番号に関連付けて登録する着信時提示情報管理手段と、
通信端末から発呼要求があったときに、通信端末から発呼要求があったときに、その発呼要求に含まれた発信先を表す番号が上記発信時提示情報管理手段に登録された特定の発信先を表す番号と一致しているか否かを判定する発信先判定手段と、
この発信先判定手段によって上記発呼要求に含まれた発信先を表す番号が上記特定の発信先を表す番号と一致していたと判定された場合に、上記着信時提示情報管理手段を参照して着信先となる上記通信端末に対し開示可能な情報を選択する着信先提示情報選択手段と、
この着信先提示情報選択手段に従って上記提示情報格納手段に登録された情報を抽出して発信側の通信端末に送信する提示情報送信制御手段と  を有するネットワーク装置。
【請求項１９】
請求項１８記載のネットワーク装置において、
上記ネットワーク装置は、上記発信先判定手段で上記発呼要求に含まれた発信先を表す番号が上記特定の発信先を表す番号と一致していなかったと判定された場合に、上記発信時提示情報管理手段を参照してその他の発信先となる通信端末に対し開示可能な情報を選択する発信先提示情報選択手段と、
この発信先提示情報選択手段従って上記提示情報格納手段に登録された情報を抽出して発信側の通信端末に送信する提示情報送信制御手段と  を有するネットワーク装置。
【請求項２０】
請求項１６乃至１９いずれか一項記載のネットワーク装置において、
上記ネットワーク装置は、通信端末からの発呼要求に上記発着信通信端末情報格納手段に登録された識別情報が含まれていた場合、当該識別情報に対応付けられた情報を上記提示情報格納手段に格納された情報から抽出して発信側の通信端末に送信する提示情報送信制御手段を有するネットワーク装置。
【請求項２１】
請求項１６乃至２０いずれか一項記載のネットワーク装置において、
上記識別情報に対応付けられた情報の出力形態が音声、画像、テキストの少なくとも一つとなるネットワーク装置。
【発明の詳細な説明】
【０００１】
【発明の属する技術分野】
本発明は、通信呼出時の情報提供システムに係り、詳しくは、発呼した通信端末が他の通信端末を呼出す際に、発信側の通信端末に対して各種情報の提供を行う情報提供システムに関する。
【０００２】
また、本発明は、そのような情報提供システムに用いられる通信端末及びネットワーク装置に関する。
【０００３】
【従来の技術】
一般に、ＰＤＣ（Personal Digital Cellular）方式の移動通信システムなどで用いられる移動機の利用者が相手先と通話をする場合、その移動機から移動通信網に対して送信される発信要求が契機となって通話を確立するに必要な呼処理が行われる。発信側の移動機と着信側の端末（例：固定電話端末や移動機）とが移動通信網を通じて呼接続されると、発信側の移動機では、呼出し中であることを発信者に知らせるための呼出音（ＲＢＴ）が鳴動する。そして、着信側の端末でオフフック操作がなされると発信側の移動機ユーザは相手先との通話が行えるようになっている。
【０００４】
また、発着信側の端末が携帯電話等の移動機でなく固定電話端末などの場合も上記と同様に、発信側の固定電話端末では通信相手を呼出しているときには呼出音が聞こえ、着信側の固定電話端末でオフフックされることにより相手先との通話が開始される。
【０００５】
【発明が解決しようとする課題】
上述したように、従来は、発信側の通信端末（携帯電話等の移動機や固定電話端末）から送信される発信要求に基づいて相手先との呼接続が行われると、発信側の通信端末では、通信網からの呼出音生成指示に基づいて該呼出音を鳴動させ発信者に呼出中であることを知らせるようにしているが、この場合、発信者に対しては単純な呼出音（トーン：４００Ｈｚ、１６Ｈｚ継続１秒ＯＮ、２秒ＯＦＦ）しか提示されていない。つまり、発信者は相手先を呼出している間、ただ相手先からの応答を待っているだけなので、応答待ち時間が有効活用さていない。
【０００６】
そこで、本発明の第一の課題は、発信者が通信端末を用いて通信相手を呼出しているときに、上記通信端末で利用することが可能な情報を呼出音に代わり発信者に提供することのできる情報提供システムを提供することである。
【０００７】
また、本発明の第二の課題は、そのような情報提供システムで用いられる通信端末を提供することである。
【０００８】
更に、本発明の第三の課題は、そのような情報提供システムで用いられるネットワーク装置を提供することである。
【０００９】
【課題を解決するための手段】
上記第一の課題を解決するため、本発明によれば、通信端末がネットワーク装置を介して他の通信端末と通信を行う情報提供システムにおいて、通信端末が利用可能な情報を予め登録した提示情報格納手段と、発信要求により上記通信端末が上記ネットワーク装置に接続され他の通信端末を呼出す際に、上記提示情報格納手段にて登録された情報を発信側の通信端末に送信する提示情報送信制御手段とを有するように構成される。
【００１０】
このような情報提供システムでは、通信端末において利用可能な情報が予め登録され、発呼した通信端末がネットワーク装置に接続されて他の通信端末を呼出す際に、上記登録された情報が発呼した通信端末に向けて送信される。従って、本発明によれば、通信発信者に対して呼出音に代わり、各種情報を提供することができるようになるので、通信端末利用者の利便性を向上させることができる。
【００１１】
通信呼出時に、通信発信者の通信端末に対して送信する情報を予め定められた条件に従って送信することができるという観点から、本発明によれば、上記情報提供システムにおいて、上記提示情報格納手段は、通信端末が利用可能な情報と共にその情報を識別するための識別情報を登録する識別情報格納手段を有し、上記提示情報送信制御手段は、上記識別情報格納手段にて登録された識別情報と、該識別情報に対応付けられた情報の出力形態を指定する情報とを登録する提示情報管理手段を有し、発信要求により通信端末が上記ネットワーク装置に接続され他の通信端末を呼出す際に、上記提示情報格納手段にて格納された情報のなかから上記提示情報管理手段で登録された識別情報に対応した情報を抽出し、その抽出で得られた情報を該通信端末に対して送信するように構成される。
【００１２】
このような情報提供システムでは、登録済みの通信端末の利用可能な情報が、予め登録された選択条件に従って抽出されて発信側の通信端末に対して送信される。このとき、上記選択条件に、通信端末に提示される提示情報の種類とその提示方法の出力形態が登録されるので、発呼した通信端末の利用者が取得したい情報を希望する出力形態で提供することが可能となる。
【００１３】
上記登録済みの通信端末の利用可能な情報を通信呼出時に、通信信者の通信端末に対して予め定められた順に提供することができるという観点から、本発明によれば、上記情報提供システムにおいて、上記提示情報管理手段は、上記識別情報格納手段にて登録された識別情報と、該識別情報に対応付けられた情報の出力形態を指定する情報とを組にして順位づけする順位付手段を有し、上記提示情報送信制御手段は、通信端末からの発信要求があったときに、上記提示情報格納手段にて格納された情報のなかから上記順位付手段にて順位付けられた順位のうち優先順位が高い識別情報に対応付けられた情報から抽出を行い、その抽出で得られた情報を発信側の通信端末に対して送信するように構成される。
【００１４】
このような情報提供システムでは、上記登録済みの通信端末の利用可能な情報から優先順位の高い組に対応付けられた情報が抽出されて発信側の通信端末に送信される。そのため、本発明によれば、通信発信者が取得したい情報を希望する順にて提供することが可能である。
【００１５】
また、本発明によれば、上記情報提供システムにおいて、上記提示情報管理手段は、上記識別情報格納手段にて登録された識別情報及び該識別情報に対応付けられた情報の出力形態を指定する情報を、着信先の通信端末を特定する番号またはその他の着信先を表す番号に関連付けて登録する着信先提示情報管理手段を有し、上記提示情報送信制御手段は、通信端末からの発信要求があったときに、上記提示情報格納手段にて格納された情報のなかから上記着信先提示情報管理手段にて登録された着信先の通信端末を特定する番号またはその他の着信先を表す番号に関連付けられて登録された識別情報と対応関係にある情報を抽出し、その抽出で得られた情報を該通信端末に対して送信するように構成される。
【００１６】
このような情報提供システムでは、着信側の通信端末に関する情報を通信呼出時に、通信発信者の通信端末に対して提供することができる。
【００１７】
発着信側の通信端末に関する情報を通信呼出時に、通信発信者の通信端末に対して提供することができるという観点から、本発明によれば、上記情報提供システムにおいて、上記提示情報格納手段は、発信側の通信端末及び着信側の通信端末に係る情報と、該関連する情報の識別が可能な識別情報とを個々の通信端末に割当てられた情報毎に予め登録する発着信通信端末情報格納手段を有し、上記提示情報送信制御手段は、通信端末からの発信要求に基づいて上記発着信通信端末情報格納手段に登録された発信側の通信端末または着信側の通信端末に係る情報のいずれかを発信側の通信端末に送信するように構成される。
【００１８】
上記同様の観点から、本発明によれば、上記情報提供システムにおいて、上記発着信通信端末情報格納手段にて登録された発信側の通信端末に係る情報の識別情報及び該識別情報に対応付けられた情報の出力形態を指定する情報を特定の発信先を表す番号またはその他の発信先を表す番号に関連付けて登録する発信時提示情報管理手段と、上記発着信通信端末情報格納手段にて登録された着信側の通信端末に係る情報の識別情報及び該識別情報に対応付けられた情報の出力形態を指定する情報を特定の発信先を表す番号またはその他の発信先を表す番号に関連付けて登録する着信時提示情報管理手段とを有し、上記提示情報送信制御手段は、通信端末から発呼要求があったときに、その発呼要求に含まれた発信先を表す番号が上記発信時提示情報管理手段に登録された特定の発信先を表す番号と一致しているか否かを判定する発信先判定手段と、この発信先判定手段によって上記発呼要求に含まれた発信先を表す番号が上記特定の発信先を表す番号と一致していたと判定された場合に、上記着信時提示情報管理手段を参照して発信側となる上記通信端末に対し開示可能な情報を選択する着信先提示情報選択手段とを有し、この着信先提示情報選択手段に従って上記提示情報格納手段に登録された情報を抽出して発信側の通信端末に送信するように構成される。
【００１９】
また、上記同様の観点から、本発明によれば、上記情報提供システムにおいて、上記提示情報送信制御手段は、上記発信先判定手段で上記発呼要求に含まれた発信先を表す番号が上記特定の発信先を表す番号と一致していなかったと判定された場合に、上記発信時提示情報管理手段を参照してその他の発信先を表す番号に関連付けて登録された発信側の通信端末に係る情報の識別情報及び該識別情報に対応付けられた情報の出力形態を指定する情報に基づいて、発信側通信端末に対し開示可能な情報を選択する発信先提示情報選択手段を有し、この発信先提示情報選択手段従って上記提示情報格納手段に登録された情報を抽出して発信側の通信端末に送信するように構成される。
【００２０】
このような情報提供システムでは、通信端末からの発呼があった際に、その発呼に含まれた発信先（発信相手）を表す情報が発信時提示情報管理手段に登録された特定の発信先を表す情報と一致していれば、更に、着信時提示情報管理手段を参照し、発呼した通信端末に対して開示が許可されている情報のみが上記提示情報格納手段から抽出されて送信される。例えば、発信先となる通信端末の利用者が開示許可していない情報については、たとえ発信元の通信端末から提示要求があっても提供されないようになっている。これにより、発信先に係る情報の漏洩の防止が可能である。一方、発呼に含まれた発信先を表す情報が発信時提示情報管理手段に登録された特定の発信先を表す情報と一致していなければ、発信時提示情報管理手段に従って自通信端末に係る情報が通話発信者の通信端末に提示されるようになっている。その結果、本発明によれば、通信呼出時に、発信先に応じて発信側の通信端末に係る情報（例：自通信端末の課金情報等）あるいは着信側通信端末に係る情報（着信端末の位置情報等）を通話発信者の通信端末に対して提供することができる。
【００２１】
また、本発明によれば、上記情報提供システムにおいて、上記提示情報送信制御手段は、通信端末からの発呼要求に識別情報が含まれた場合、当該識別情報に対応付けられた情報を上記提示情報格納手段に格納された情報から抽出して発信側の通信端末に送信するように構成される。
【００２２】
更に、本発明によれば、上記情報提供システムにおいて、上記識別情報に対応付けられた情報の出力形態が音声、画像、テキストの少なくとも一つとなるように構成される。
【００２３】
上記第二の課題を解決するため、本発明によれば、ネットワーク装置を介して他の通信端末と通信を行う通信端末において、通信端末が利用可能な情報を予め登録する提示情報格納手段と、発信要求により上記通信端末が上記ネットワーク装置に接続され他の通信端末を呼出す際に、上記提示情報格納手段にて登録された情報を発信側の通信端末に送信する提示情報端末側送信制御手段とを有するように構成される。
【００２４】
上記第三の課題を解決するため、本発明によれば、通信端末間の通信を中継するネットワーク装置において、上記ネットワーク装置は、通信端末が利用可能な情報を予め登録する提示情報格納手段と、発信要求により上記通信端末が上記ネットワーク装置に接続され他の通信端末を呼出す際に、上記提示情報格納手段にて登録された情報を発信側の通信端末に送信する提示情報網側送信制御手段とを有するように構成される。
【００２５】
【発明の実施の形態】
以下、本発明の実施の形態を図面に基づいて説明する。
【００２６】
（実施の形態１）
図１に、本発明の実施の形態１に係る移動通信システムの構成例を示す。この移動通信システムは、例えば、ＰＤＣ（Personal Digital Cellular）方式の移動通信システムであり、移動機Ａ（発信側の移動機）１０と、基地局（ＢＳ：Base Station）２０と、基地局制御装置３０と、移動体交換装置４０とで構成される。移動機Ａ１０は基地局２０と無線通信を行い、基地局制御装置３０及び移動体交換装置４０を介して他の端末（例：移動機、固定電話端末）との音声通信や非通話通信を行えるようになっている。本発明では、移動機Ａ１０が発呼している間、自移動機Ａ１０内に備えられている記憶部１０１に蓄積されている情報が提供されるようになっている。
【００２７】
上記移動通信システムで用いられる移動機Ａ１０は、例えば、図２に示すように構成される。
【００２８】
図２において、この移動機Ａ１０はＰＤＣまたはＰＨＳ（Personal Handy-phone System）などの無線周波数信号を送受信する無線部１１と、近年、話題になっているBluetoothあるいは赤外線データ通信の一種であるIrDA （Infrared Data Association）等の短距離無線通信の無線周波数信号を送受信する短距離無線部１２とを有している。また、上記の各無線方式（PDC、PHS、Bluetooth、IrDAなど）に対応した切替え制御等を行う無線制御部１３、通話発呼時に発信側に提示される情報が登録される記憶部１４（図１の記憶部１０１と同一）、該記憶部に登録された情報を読み出す際の読出し条件となる提示情報管理テーブル１５、提示情報管理テーブルに登録されている条件に従って記憶部に登録されている情報を読込むための制御等を行う移動機制御部１６、記憶部に登録されている情報等を出力する提示情報出力部１７、操作ボタンなどを有する入力部１８、上記各構成要素間で命令やデータを転送するための伝送路である制御バス１９を具備して構成される。また、上記無線部１１、短距離無線部１２、無線制御部１３、移動機制御部１６は送信制御機能を司る機能ブロックである。
【００２９】
続いて、移動機Ａ１０内の記憶部１４に登録される情報について説明する。この記憶部１４に登録される情報は、例えば、以下に示すような情報が移動機Ａ１０ユーザからの操作によって登録される。まず、記憶部１４に登録される情報の種類について説明する。上記記憶部１４に登録される情報は、下記の３つに大別される。
【００３０】
１）公衆網からの情報
２）短距離無線からの情報
３）自移動機内情報
１）の公衆網からの情報とは、例えば、ユーザが今回の発呼以前にインターネットにアクセスした際の情報（広告等）や通信事業者側で管理される管理情報（累積課金情報、メール着信通知等）である。また、２）の短距離無線からの情報とは、例えば、ユーザが今回の発呼以前にBluetooth等の短距離無線ユニットを使用して取得した情報（例：広告等）や、発呼中に取得した情報である。更に、３）の自移動機内情報とは、例えば、今回の発呼相手の番号、累積課金情報、時刻等の情報である。尚、本実施の形態１では、これら１）〜３）の情報を『提示情報Ａ１〜Ａ３』と呼ぶことにする。
【００３１】
次に、上記提示情報Ａ１〜Ａ３の登録を行う記憶部１４内の情報格納フォーマット例にについて図３を参照しながら説明する。
【００３２】
図３において、上記提示情報Ａ１〜Ａ３は、移動機Ａ１０内の記憶部１４に登録される際にＩＤ等の識別情報が付与されて登録される。例えば、情報（１）（例：提示情報Ａ１の情報）にＩＤ（１）、情報（２）（例：提示情報Ａ２の情報）にＩＤ（２）、情報（Ｎ）（例：提示情報Ａ３の情報）にＩＤ（Ｎ）がそれぞれ付与されて登録される（図３の▲１▼、▲２▼参照）
このようにしてＩＤ等の識別情報と共に登録された上記提示情報Ａ１〜Ａ３は、移動機Ａ１０内の提示情報管理テーブル１５上に設定された提示方法に従って移動機Ａ１０ユーザに提供される。ここで、この提示情報管理テーブル１５のフォーマットおよび該テーブルに設定される内容について説明する。上記提示情報管理テーブル１５のフォーマットは、例えば、図４に示すように、行（レコード）と列(項目：フィールド)に分けられており、１番目のフィールドに「情報提示ステップ」（▲１▼）、２番目のフィールドに「ＩＤ番号」（▲２▼）、３番目のフィールドに「情報提示方法」（▲３▼）にて構成される。上記「情報提示ステップ」（▲１▼）は、移動機Ａ１０ユーザに情報を提示する順序を表し、上記「ＩＤ番号」（▲２▼）は、提示情報Ａ１〜Ａ３の識別番号を表す。また、「情報提示方法」（▲３▼）は、移動機Ａ１０ユーザへの提示情報Ａ１〜Ａ３の出力手段を表す。この出力手段には、「音声」や「文字表示」、「画像表示」の他に、振動などによる出力が含まれる。
【００３３】
上記提示情報管理テーブル１５に設定される内容は、移動機Ａ１０ユーザに提示される情報（提示情報Ａ１〜Ａ３のいずれか）とその情報の提示方法の２つに大別することができる。次に、この提示情報管理テーブル１５に上記情報とその情報の提示方法を設定する手順の一例を、図５のフローチャートを用いて説明する。
【００３４】
図５において、移動機Ａ１０ユーザは、入力部１８を操作し、メニュー一覧画面から「提示情報管理テーブルの設定」を選択（Ｓ１）して、提示情報管理テーブル１５の設定画面に入る。該ユーザは、このようにして提示情報管理テーブル１５の設定画面に入ると、１番目の情報提示ステップ（以下、単に情報ステップ１という）に対応する「提示情報の種類（例：提示情報Ａ１〜Ａ３のいずれか）」と、「情報提示方法」を入力する（Ｓ２）。例えば、情報提示ステップ１に、提示情報の種類としてＩＤ（１）に登録されている情報（例：提示情報Ａ１）と、その登録されている情報の提示方法として「音声」を入力し、かつこの情報提示ステップ１に提示情報の種類としてＩＤ（３）に登録されている情報（例：提示情報Ａ２）と、その登録されている情報の提示方法として「画像」を入力したものと仮定する。また、情報提示ステップ２に、提示情報の種類としてＩＤ（５）に登録されている情報（例：提示情報Ａ３）と、その登録されている情報の提示方法として「テキスト」を入力したものと仮定する。尚、移動機Ａ１０ユーザに提示される提示情報の提示方法には、上述した「音声」、「画像」、「テキスト」、「振動」、「ＬＥＤ表示」等があり、ユーザは、上記のようにして各情報提示ステップ毎に設定した提示情報を様々な提示形態で受取ることができる。また、１つの情報提示ステップに登録される情報種類は上記の例で取り上げたように１つだけでなく複数種類（情報表示ステップ１のとき、ＩＤ（１）とＩＤ（３））であってもよい。移動機Ａ１０ユーザは、上記のようにして情報提示ステップ毎の「提示情報の種類」と、「情報提示方法」の入力が完了すると、「登録」を示す操作ボタンを押下する。そして、該入力された「提示情報の種類」と、「提示方法」にエラーがなければ（Ｓ３でＹＥＳ）提示情報管理テーブルに登録（Ｓ４）されて正常終了となる。しかし、入力エラーが見つかった場合（Ｓ３でＮＯ）、ユーザでの再入力が行われる。
【００３５】
上記のようにして、上記情報提示ステップ毎の「提示情報の種類」と、「情報提示方法」が正常に提示情報管理テーブル１５に設定されると、提示情報管理テーブル１５は、例えば、図６に示すようになる（図６の▲１▼〜▲３▼参照）。
【００３６】
本実施の形態１では、移動機Ａ１０が発呼中、この提示情報管理テーブル１５に設定された内容に従って該移動機Ａ１０の記憶部１４に登録された情報が読み出されて該移動機Ａ１０の提示情報出力部１７に情報が出力されるようになっている。具体的には図７に示す手順に従って処理が行われる。
【００３７】
図７は、上記提示情報管理テーブル１５に設定された内容に従って自移動機Ａ１０の記憶部１４に登録された情報が当該移動機Ａ１０に提供される際の該移動機Ａ１０での処理例を示すフローチャートである。
【００３８】
図７において、移動機Ａ１０ユーザから、相手先となる着信側端末番号が入力部１８より入力（Ｓ１１）されて発信ボタンが押下されると、発信要求信号が無線部１１を介して移動体網側の移動体交換装置４０へ送信（Ｓ１２）される。移動機Ａ１０内の移動機制御部１６は、上記発信要求信号の送信を契機に、提示情報管理テーブル１５の情報提示ステップを参照するための情報提示ステップＫのカウンタを初期状態（Ｋ＝１）にセット（Ｓ１３）する。その後、提示情報管理テーブル１５にアクセスして１番目の情報提示ステップＫ（Ｋ（初期状態）＝１）に設定されている提示情報とその情報の情報提示方法の設定内容を読込む（Ｓ１４）。そして、その読込んだ情報提示ステップＫに対応する提示情報とその提示情報の提示方法の設定内容に従って該当する情報を記憶部１４から取得（Ｓ１５）する。この場合、図６に示すように、
提示情報：ＩＤ（１）  情報提示方法：音声
提示情報：ＩＤ（３）  情報提示方法：画像
を記憶部１４から取得する。
【００３９】
移動機制御部１６は、上記のようにして記憶部１４から１番目の情報提示ステップＫ（Ｋ＝１）に対応する提示情報および情報提示方法の取得を終えると、該情報
提示方法に従った該提示情報を提示情報出力部１７を介して出力して、ユーザに提示（Ｓ１６）する。尚、情報提示中に通信相手からの着信応答通知があったとき（割り込みイベントの発生）には、ユーザに対する情報提示は終了となり、即、相手先との通話が開始（Ｓ１９）される。また、移動機が相手先を呼出しているときに、１番目の情報提示ステップ（情報提示ステップ１）に対応する提示情報の情報提示が完了すると、移動機制御部１６は、情報提示ステップＫのカウンタを＋１インクリメント（Ｋ＝Ｋ+１）し、情報提示ステップＫ＋１に登録情報があるか否かの判定（Ｓ１７）がなされる。この判定（Ｓ１７）で、情報提示ステップＫ＋１に登録情報ありとの判定（Ｓ１７でＹＥＳ）を得た場合、情報提示ステップＫ（変数）に上記カウンタの値Ｋ＋１を代入（Ｓ１８）して、Ｓ１４〜Ｓ１６の処理が行われ、情報提示ステップＫ（ここでは、Ｋ＝２）に対応する提示情報が移動機Ａ１０ユーザに提示される。
【００４０】
一方、上記判定で、情報提示ステップＫ＋１に登録情報なしとの判定（Ｓ１７でＮＯ）を得た場合、提示情報管理テーブルに設定されている１番目の情報提示ステップ（Ｋ＝１）に対応する提示情報が繰返し移動機Ａユーザに提示される。
【００４１】
以上説明したように、本実施の形態１によれば、移動機Ａ１０が着信相手を呼出している間、該移動機Ａ１０内の記憶部に登録された情報が提示情報管理テーブルに設定された内容に従って該移動機Ａ１０ユーザに提供される。例えば、発信先の電話番号等の情報等を上記記憶部に予め登録しておけば、相手を呼出している間、発信先の電話番号通知がユーザになされるので、間違い電話の防止に役立てることが可能になる。また、インターネットからダウンロードしたコマーシャル情報等を上記記憶部に登録しておけば、相手を呼出している間、該コマーシャル情報がユーザに提供されるので、ユーザにとって相手を呼出している間の待ち時間を有効活用することができる。このように、本実施の形態１によれば、発呼中のときに単純な呼出音しかユーザに提示されていなかった従来と比較して、ユーザにとって価値のある情報をユーザの希望する出力形態で該ユーザに提供することが可能となるので、ユーザの利便性を向上させることができる。
【００４２】
上述した実施の形態１では、移動機Ａの発呼を契機に、該移動機Ａ１０内の記憶部１４に登録されている提示情報が提示情報管理テーブル１５に設定された内容に従って読み出されて移動機Ａ１０ユーザに提供される場合を例にとり説明を行ってきたが、本発明の実施形態はこれに限定されるものでなく、例えば、移動体網側にあるデータベース部に上記のような提示情報を登録し、その登録された情報を移動機Ａ１０ユーザに提供する形態であってもよい。以下、そのような実施形態を本発明の実施の形態２として説明を行う。
（実施の形態２）
図８に、本発明の実施の形態２に係る移動通信システムの構成例を示す。この移動通信システムは、移動機Ａ（発信側）１１０との無線通信を行う基地局Ａ１２０と基地局制御装置Ａ１３０、移動機Ｂ（着信側）１１１との無線通信を行う基地局Ｂ１２１と基地局制御装置Ｂ１３１および移動体換装置１４０と、加入者データタベース１５０（以下、加入者ＤＢという）とで構成される。上記構成要素のうち、移動体交換装置１４０と加入者ＤＢ１５０は、移動体交換網側に配置される。
【００４３】
上記加入者ＤＢ１５０は、ユーザの加入者情報、例えば、ユーザが移動機契約時に申し込んだサービスに係る情報の他に、本発明に係る移動機Ａ１１０に関する情報や移動機Ｂ１１１に関する情報、例えば、移動機Ｂ１１１の位置情報や各種設定情報（着信音メロディなど）などの情報が登録されるデータベースである。また、この加入者ＤＢ１５０は移動体交換装置１４０と接続されており、例えば、移動機Ａ１１０から発呼があった際に該移動体交換装置１４０は加入者ＤＢ１５０にアクセスして相手先の所在位置情報を取得し、相手側移動機との呼を確立することができるようになっている。
【００４４】
本実施の形態２では、移動機Ａ１１０からの発呼を契機に、移動体網側の加入者ＤＢ５０に登録されている情報が読み出され、当該移動機Ａ１１０が相手を呼出している間その情報が提供されるようになっている。
【００４５】
続いて、上記移動機Ａ１１０、移動機Ｂ１２０の装置構成について説明を行うが、移動機Ａ１１０と移動機Ｂ１２０の装置構成は同一なので以下移動機Ａ１１０を代表にとり装置構成の説明を行う。
【００４６】
移動機Ａ１１０の装置構成は、例えば、図９に示すように構成される。尚、  図９において、この移動機ＡはＰＤＣ等の無線周波数信号を送受信する無線部６１と、周波数変換（ＲＦ/ＩＦ）や変復調等を行う無線制御部６２と、電話帳などが蓄積される記憶部６３と、例えば、該記憶部６３に蓄積されている情報を読出し、その読み出した情報を提示情報出力部に出力するための出力制御等の役割を担う移動機制御部６４と、移動機制御部６４からの指定に従って情報の出力を行う提示情報出力部６５と、操作ボタンなどを有する入力部６６と、上記各構成要素間で命令やデータを転送するための伝送路である制御バス６７とを具備して構成される。
【００４７】
続いて、移動体交換網側に配置される移動体交換装置４１と加入者ＤＢ５０の装置構成について説明する。
【００４８】
上記移動体交換装置４１は、例えば、図１０に示すように構成される。
【００４９】
図１０において、この移動体交換装置４１は、データ受信部７１と、提示情報管理テーブル制御部７２と、交換処理部７３と、データ送信部７４と、提示情報管理テーブル（発信時）７５と、提示情報管理テーブル（着信時）７６と、加入者ＤＢアクセス７７と、上記各構成要素間で命令やデータを転送するための伝送路である制御バス７８とを具備して構成される。データ受信部７１は、発呼側の移動機Ａ１１０から送信された発呼要求信号を受信し、該移動機Ａ１１０との接続を行うに必要な情報（発呼情報と略す）を交換処理部７３に送出する。交換処理部７３は、その発呼情報に基づいて着信先移動機Ｂ１２に接続をするための適切な経路を選択し、データ送信部７４に具備される回線トランクのうち空きトランクを割当てて通話路パスを形成する。提示情報管理テーブル（発信時）７５は、移動機Ａ１１０からの発信時に提示要求される情報の制御に用いられ、提示情報管理テーブル（着信時）７６は、他の移動機から着信があった場合に自移動機に関する情報をどのように開示するかの制御に用いられる。加入者ＤＢアクセス部７７は、加入者ＤＢ５０との相互通信に用いられる。
【００５０】
上記加入者ＤＢ５０は、例えば、図１１に示すように構成される。
【００５１】
図１１において、この加入者ＤＢ５０は、発信側及び着信側の移動機に関する情報を蓄積する加入者情報記憶部８１と、移動体交換装置１４０との相互通信を行うためのインタフェース機能を有する移動体交換装置アクセス部８２と、加入者情報を登録する際のデータ入力制御や加入者情報を加入者情報記憶部８１から読込むための読込み制御などの制御処理を担う制御部８３と、キーボード等のデータ入力手段を有する入力部８４と、データをディスプレイ等に出力する出力手段を有する出力部８５とを具備して構成される。
【００５２】
上記加入者情報記憶部８１には、次の２つの情報が登録される。
【００５３】
１）発信側の移動機に関する情報
２）着信側の移動機に関する情報
１）の発信側の移動機Ａ１１０に関する情報は、例えば、自移動機の課金積算情報、インターネット等の連携による移動体網側から得た広告等の情報である。また、２）の着信側の移動機Ｂ１１１に関する情報は、例えば、該移動機Ｂ１１１の位置情報、該移動機Ｂ１１１を利用するユーザの状況を表す情報（忙しい、暇、会議中などの移動機ユーザの状況）、着信メロディ情報等である。尚、本実施の形態２では、これら１）〜２）の情報を『提示情報Ｂ１、Ｂ２』と呼ぶことにする。
【００５４】
次に、加入者情報記憶部８１に登録される上記提示情報Ｂ１、Ｂ２の登録例を図１２を参照しながら説明する。
【００５５】
図１２において、上記提示情報Ｂ１、Ｂ２は、加入者（ユーザ）毎（加入者１、２・・・Ｎ）（▲１▼）に登録され、各情報毎（情報（１）〜情報（Ｎ））（▲３▼）にＩＤ等の識別情報（▲２▼）が付与されて登録される。例えば、加入者１に対する情報登録は、
ａ．情報（１）に対する着信側移動機の位置情報（提示情報Ｂ２）についてＩＤ（１）を付与
ｂ．情報（２）に対する着信側移動機の状況情報（提示情報Ｂ２）についてＩＤ（２）を付与
ｃ．情報（Ｎ）に対する発信側移動機の課金情報（提示情報Ｂ１）にＩＤ（Ｎ）を付与
のようにして登録される（図１２のａ〜ｃ参照）。以下加入者（２）から加入者（Ｎ）について上記ａ〜ｃのようにして登録される。
【００５６】
この加入者情報記憶部８１に登録される上記提示情報Ｂ１、Ｂ２の登録手段は、例えば、移動機Ａ１１０から行う場合、位置登録のタイミングで登録される形態や相手方との通信完了後（課金情報等）に登録される形態等がある。一方、移動機Ｂ１１１から行う場合、該移動機Ｂ１１１ユーザの意図したタイミング、例えば、該ユーザが入力部６６から所定操作を行うことで情報登録が行えるような登録形態や、移動機Ｂ１１１の位置登録が行われる際に自動的に情報登録が行われる形態がある。また、移動機Ｂ１１１と移動体交換網側の定期的な通信の中で情報の登録を行うような形態であってもよい。
【００５７】
本実施の形態２では、上記のようにして加入者情報記憶部８１に上記提示情報Ｂ１、Ｂ２が登録されると、その登録された情報は、移動機Ａ１１０からの提示要求を契機に提示情報管理テーブル（発信側）７５または提示情報管理テーブル（着信側）７６に設定された内容に従って読み出されて該移動機Ａ１１０ユーザに提供される。ここで、この提示情報管理テーブル（発信側）７５と、提示情報管理テーブル（着信側）７６のフォーマットおよび該テーブルに設定される内容について説明を行う。上記提示情報管理テーブル（発信側）７５のフォーマットは、例えば、図１３に示すように、行（レコード）と列(項目：フィールド)に分けられており、１番目のフィールドに「発信相手」（▲１▼）、２番目のフィールドに「アクセス先ＤＢ」（▲２▼）、３番目のフィールドに「ＩＤ」（▲３▼）、４番目のフィールドに「情報提示方法」（▲４▼）にて構成される。上記「発信相手」（▲１▼）は、発信相手の電話番号を表し、上記「アクセス先ＤＢ」（▲２▼）は、加入者毎に加入者情報記憶部８１に蓄積されている提示情報Ｂ１、Ｂ２のうちどちらの提示情報にアクセスするかのアクセス先を表す。また、上記「ＩＤ」（▲３▼）は、加入者情報記憶部８１に蓄積される情報に付与される識別番号を表し、上記「情報提示方法」（▲４▼）は、移動機ユーザへの情報提示出力手段を表す。この出力手段には、「音声」や「文字表示」、「画像表示」の他に、振動などによる出力が含まれる。
【００５８】
続いて、提示情報管理テーブル（着信側）７６のフォーマットおよび該テーブルに設定される内容について説明する。上記提示情報管理テーブル（着信側）７６のフォーマットは、例えば、図１４に示すように、行（レコード）と列(項目：フィールド)に分けられており、１番目のフィールドに「着信相手」（▲１▼）、２番目のフィールドに「ＩＤ番号」（▲２▼）、３番目のフィールドに「情報提示方法」（▲３▼）にて構成される。上記「着信相手」（▲１▼）は、着信相手の電話番号を表し、上記「ＩＤ番号」（▲２▼）は、加入者情報記憶部８１に蓄積される情報に付与される識別番号を表す。また、上記「情報提示方法」（▲３▼）は、移動機ユーザへの情報提示出力手段を表す。尚、本実施の形態２では、上記提示情報管理テーブル（発信側）７５および（着信側）７６に、図１５および図１６に示す内容の情報が予め設定されているものと仮定し、以降説明を行う。図１５に示すように、上記提示情報管理テーブル（発信側）７５の設定内容は、以下の通りである。
【００５９】
▲１▼  発信相手：０９０１２３４５６７８
ＩＤ（１）、情報提示方法「音声」
ＩＤ（３）、情報提示方法「画像」
▲２▼  発信相手：その他
ＩＤ（１）、情報提示方法「音声」
ＩＤ（３）、情報提示方法「画像」
上記▲１▼の設定内容は、移動機Ａ１１０が発信相手（相手先電話番号：０９０１２３４５６７８）に発呼した際に、例えば、提示情報Ｂ２に分類される情報のうちＩＤ（１）とＩＤ（３）に該当する情報の提示要求を行うために設定されたものである。但し、この場合、発信相手の提示情報管理テーブル（着信側）７５の設定内容で上記ＩＤ（１）とＩＤ（３）の開示設定がなされていた場合のみ該移動機Ａユーザに上記ＩＤ（１）、（３）に関する情報が提示されるようになっている。即ち、発信側が提示要求した情報は、提示情報管理テーブル（着信側）７５で開示許可されているものに限られる。このようにすることによって、着信側移動機Ｂ１１１ユーザは開示したくない情報を開示しなくても済む。
【００６０】
上記▲２▼の設定内容は、移動機Ａ１１０（発呼側）が上記発信相手以外の相手に発呼した際に、加入者情報記憶部８１に記憶される提示情報Ｂ１（自移動機Ａ１１に関する情報）に分類される情報のうちＩＤ（１）とＩＤ（３）に該当する情報が該移動機Ａ１１１で得られるように設定されたものである。
【００６１】
次に、上記提示情報管理テーブル（着信側）７６の設定内容を図１６に示す。
【００６２】
図１６において、上記提示情報管理テーブル（着信側）７６の設定内容は次の通りである。
【００６３】
▲１▼  着信相手：０９０１１１１１１１１
ＩＤ（１）、情報提示方法「音声」
ＩＤ（３）、情報提示方法「画像」
ＩＤ（５）、情報提示方法「テキスト」
▲２▼  着信相手：その他
ＩＤ（１）、情報提示方法「音声」
ＩＤ（３）、情報提示方法「画像」
上記▲１▼の設定内容は、移動機Ａ１１０に対する着信が特定の相手（着信相手番号：０９０１１１１１１１１）からの場合に、提示情報Ｂ１に分類される情報のうちＩＤ（１）、ＩＤ（３）、ＩＤ（５）の情報を上記特定の相手に対して開示するように設定されたものである。
【００６４】
上記▲２▼の設定内容は、移動機Ａに対する着信が上記特定の相手以外の相手（その他）からあった場合に、提示情報Ｂ１に分類される情報のうちＩＤ（１）、ＩＤ（３）の情報を上記特定の相手以外の相手に対して開示するように設定されたものである。
【００６５】
上記提示情報管理テーブル（発信時、着信時）７５、７６への登録方法は、例えば、移動機Ａ１１０の入力部６６から所定操作を行って上記提示情報管理テーブル（発信時、着信時）７５、７６にアクセスして登録を行う形態であっても加入者ＤＢ５０の入力部８４から所定操作を行って上記提示情報管理テーブル（発信時、着信時）７５、７６にアクセスして登録を行う形態であってもよい。
【００６６】
本実施の形態２では、上記提示情報管理テーブル（発信時）７５に設定された内容に従って移動機Ｂ１１１に関する提示情報Ｂ２が移動機Ａ１１０に対して提供され、また、上記提示情報管理テーブル（着信時）７６に設定された内容に従って自移動機（この場合、移動機Ａ１１１）に関する提示情報Ｂ１が他移動機に対して開示されるようになっている。
【００６７】
次に、提示情報管理テーブル（発信時、着信時）に設定された内容に従って移動機Ａ１１０に情報提供する場合の移動体網側の処理例を図１７を参照しながら説明する。尚、図１７を説明するにあたり、発信側の移動機Ａ１１０の電話番号を「09011111111」、着信側の移動機Ｂ１１１の電話番号を「09012345678」とする。
【００６８】
図１７において、移動機Ａ１１０ユーザが相手先となる着信側移動機Ｂ１１１の電話番号「09012345678」を入力部６６より入力し、所定の発信ボタンを押下すると、発信要求信号（この発呼要求信号には、通信接続制御用の発呼信号の他に、発信側の電話番号、着信側の電話番号等が含まれる）が基地局Ａ１２０、基地局制御装置Ａ１３０を介して移動体網側の移動体交換装置１４０に送信される。この発信要求信号は移動体交換装置１４０内のデータ受信部７１で受信（Ｓ２１）されて提示情報管理テーブル制御部７２に送られる。提示情報管理テーブル制御部７２は、発呼要求信号に含まれる発信相手（着信側移動機Ｂ１１１）の電話番号「09012345678」を抽出し、その電話番号から移動機Ａ１１０が提示要求した情報が自移動機Ａ１１０に関する情報の提示要求か、発信相手（移動機Ｂ１１１）に関する情報の提示要求かの判断を提示情報管理テーブル（発信側）の「発信相手」のフィールドを参照して判断（Ｓ２２）する（図１５参照）。
【００６９】
上記判断（Ｓ２２）で、移動機Ａ１１０が提示要求した情報が発信相手（移動機Ｂ１１１）に関する情報の提示要求と判断された場合（＝上記発信相手の電話番号に対するアクセス先ＤＢが「発信相手」と判断された場合）（Ｓ２２でＹＥＳ）、提示情報管理テーブル制御部７２は、上記電話番号「09011111111」に対して設定された開示してよい情報のＩＤおよびその情報の提示方法が示された情報を提示情報管理テーブル（着信側）７６を参照して取得（Ｓ２３）した後、その取得した情報を加入者ＤＢアクセス部７７に送出する。加入者ＤＢアクセス部７７は、加入者ＤＢ１５０内の加入者情報記憶部８１にアクセスして、発信相手「09011111111」に対して設定されたＩＤ（１）、ＩＤ（３）、ＩＤ（５）の情報とそれらのＩＤに対応付けられた情報提示方法を示す情報を読込んで（Ｓ２４）、提示情報管理テーブル制御部７２に送る。提示情報管理テーブル制御部７２は、加入者ＤＢアクセス部７７が加入者情報記憶部８１から読込んだ情報をデータ送信部７４を介して、基地局制御装置Ａ１３０および基地局Ａ１２０を介して移動機Ａ１１０に送信（Ｓ２５）する。
【００７０】
一方、上記判断（Ｓ２２）で、移動機Ａ１１０が提示要求した情報が自移動機Ａ１１０に関する情報の提示要求と判断された場合（Ｓ２２でＮＯ）、つまり、発信相手が「０９０１２３４５６７８」以外のときは、提示情報管理テーブル制御部７２は、提示情報管理テーブル（発信側）７６の「その他」のフィールドを参照して、開示設定された自移動機に関する情報のＩＤとそのＩＤに登録された情報の提示方法が示された情報を取得（Ｓ２６）した後、その取得した情報を加入者ＤＢアクセス部７７に送出する。加入者ＤＢアクセス部７７は、加入者ＤＢ１５０内の加入者情報記憶部８１にアクセスして自移動機に関する情報のＩＤとそのＩＤに登録された情報の提示方法が示された情報に合致する情報を該加入者情報記憶部８１から読込んで（Ｓ２６）、提示情報管理テーブル制御部７２に送出する。この場合、図１５の▲２▼に示すように、発信相手フィールドの「その他」に設定されたＩＤ（１）、ＩＤ（３）の情報とそれらのＩＤに対応付けられた情報提示方法を示す情報が読込まれる。このようにして加入者ＤＢアクセス部７７から提示情報管理テーブル制御部７２に送出された情報は、データ送信部７４を経由し、基地局制御装置Ａ１３０および基地局Ａ１２０を介して移動機Ａ１１０に送信（Ｓ２５）される。
【００７１】
上記のようにして移動機Ａ１１０が発呼中に、自移動機Ａ１１０に関する情報または移動機Ｂ１１１に関する情報が提供されているときに、着信側の移動機Ｂ１１１からの着呼応答があれば、その時点で上記情報の提供が停止され、発着信移動機間（移動機Ａ１１０と移動機Ｂ１１１間）で通話が開始されるようになっている。
【００７２】
また、移動機Ａ１１０のユーザが通信相手の状況等や特定の情報を得たい場合は、その得たい情報に付与されているＩＤを着信側移動機の電話番号を入力する際に入力すればよい。その場合、移動機Ａ１１０から送信される発呼信号に特定のＩＤを表す情報が含まれて移動体網側に送信されるので、該移動機Ａ１１ユーザは、その特定ＩＤに登録された情報を発呼中に得ることが可能である。
【００７３】
以上説明したように、本実施の形態２によれば、移動機Ａ１１０が着信相手を呼出している間、移動体網側の加入者ＤＢ１５０に登録された提示情報Ｂ１（発信側移動機Ａ１１０に関する情報）あるいは提示情報Ｂ２（着信側移動機Ｂ１１１に関する情報）が提示情報管理テーブル（発信側、着信側）７５、７６に設定された内容に従って該移動機Ａ１１０ユーザに提供される。そのため、発呼中の移動機に対しては呼出音しかユーザに提示されていなかった従来と比較して、本実施の形態２によれば、発信側の移動機Ａ１１０が相手を呼出している間、着信側移動機Ｂ１１１の位置情報やユーザ状況を示す情報が音声や画像などで提供されるようになるので、ユーザの利便性を向上させることができる。
【００７４】
上述した実施の形態２では、移動体網側にある加入者ＤＢ１５０にアクセスし、その加入者ＤＢ１５０内の加入者情報記憶部８１に蓄積されている提示情報Ｂ１、Ｂ２が提示情報管理テーブル（発信、着信）７５、７６に設定された内容に従って移動機Ａ１１０ユーザに提供される場合を例にとり説明を行ってきたが、本発明の実施形態はこれに限定されるものでなく、更に、着信側の移動機内の記憶部にアクセスしてその記憶部に蓄積されている提示情報を発信側移動機に提供する形態であってもよい。以下、そのような実施形態を本発明の実施の形態３として説明を行う。
（実施の形態３）
図１８に、本発明の実施の形態３に係る移動通信システムの構成例を示す。この移動通信システムは、移動機Ａ（発信側）２１０と、その移動機Ａ２１０と無線通信を行う基地局Ａ２２０、基地局制御装置Ｂ２３０と、移動機Ｂ（着信側）２１１と、その移動機Ｂ２１１と無線通信を行う基地局Ｂ２２１、基地局制御装置Ｂ２３１および移動体換装置２４０とで構成される。本発明では、移動機Ａ２１０が発呼している間、移動機Ｂ２１１内に備えられている記憶部２１１１に蓄積されている情報が移動機Ａ２１０に対して提供されるようになっている。
【００７５】
上記移動通信システムで用いられる移動機Ａ２１０または移動機Ｂ２１１の装置構成は、実施の形態１において説明した移動機Ａ１０と同一構成をとる（図２参照）。従って、本実施の形態３の説明で用いられる移動機Ａ２１０および移動機Ｂ２１１の装置構成要素の符号は図２の移動機Ａ１０と同じ符号を用いて以降説明を行う。
【００７６】
また、着信側の移動機である移動機Ｂ２１１内の記憶部１４に蓄積される情報は、前述した図３と同様の情報（▲１▼公衆網からの情報、▲２▼短距離無線からの情報、▲３▼自移動機内情報）が蓄積される。ここでは、上記記憶部２１２に蓄積される上記情報（▲１▼〜▲３▼）を『提示情報Ｃ１〜Ｃ３』と呼ぶことにする。
【００７７】
本実施の形態３では、着信側の移動機Ｂ２１１の記憶部１４に蓄積された上記提示情報Ｃ１〜Ｃ３が該移動機Ｂ２１１内の提示情報管理テーブル１５に設定された提示方法に従って移動機Ａ２１０ユーザに提供される。ここで、上記提示情報管理テーブル１５のフォーマットおよび該テーブルに設定される内容について説明する。上記提示情報管理テーブル１５のフォーマットは、例えば、図１９に示すように、行（レコード）と列(項目：フィールド)に分けられており、１番目のフィールドに「着信先」（▲１▼）、２番目のフィールドに「ＩＤ番号」（▲２▼）、３番目のフィールドに「情報提示方法」（▲３▼）にて構成される。上記「着信先」（▲１▼）は、着信先の移動機の電話番号を表し、上記「ＩＤ番号」（▲２▼）は、提示情報Ｃ１〜Ｃ３の識別番号を表す。また、「情報提示方法」は、移動機Ａ２１０ユーザへの提示情報Ｃ１〜Ｃ３の出力手段を表す。この出力手段には、「音声」や「文字表示」、「画像表示」の他に、振動などによる出力が含まれる。尚、本実施の形態３では、上記提示情報管理テーブル１５に、図２０に示す内容の情報が予め設定されているものと仮定し、以降説明を行う。
【００７８】
図２０に示す上記提示情報管理テーブル１５の設定内容は、以下の通りである。
【００７９】
▲１▼着信先：０９０１１１１１１１１
ＩＤ（１）、情報提示方法「音声」
ＩＤ（３）、情報提示方法「画像」
ＩＤ（５）、情報提示方法「テキスト」
▲２▼着信先：その他
ＩＤ（１）、情報提示方法「音声」
ＩＤ（３）、情報提示方法「画像」
上記▲１▼の設定内容は、移動機Ｂ２１１に対する着信があった際に、その着信先が０９０１１１１１１１１（（即ち、発信元の移動機の電話番号）であれば、該移動機Ｂ２１１の記憶部１４に登録されている情報のうちＩＤ（１）、ＩＤ（３）、ＩＤ（５）の情報が上記提示情報管理テーブル１５に設定された情報提示方法に従って発信側の移動機Ａ２１０に提示されるよう設定されたものである。
【００８０】
上記▲２▼の設定内容は、移動機Ｂ２１１に対する着信があった際に、その着信先が０９０１１１１１１１１（電話番号）以外（その他の相手からの着信）からの着信であれば、移動機Ｂ２１１の記憶部１４に登録されている情報のうちＩＤ（１）、ＩＤ（３）の情報が上記提示情報管理テーブル１５に設定された情報提示方法に従って発信側の移動機Ａ２１０に提示されるよう設定されたものである。
【００８１】
即ち、本実施の形態３では、着信側の移動機Ｂ２１１の記憶部１４に登録された情報が上記提示情報管理テーブル１５に設定された内容に従って発信側の移動機Ａ２１０ユーザに対して提供（情報送信）される。具体的には、図２１に示す手順に従って着信側の移動機Ｂ２１１での処理が行われる。
【００８２】
図２１において、移動機Ａ２１０から送信された発信要求信号（発呼信号、発信側の電話番号（＝発信側電番）、着信側の電話番号（＝着信側電番）等）は、基地局Ａ２２０、基地局制御装置Ａ２３０を介して移動体交換装置２４０に送信され、移動体交換装置２４０で発信側電番が抽出されて移動機Ｂ２１１に送信される。移動機Ｂ２１１は、この発信側電番（この場合、着信先：０９０１１１１１１１１）を無線部１１、無線制御部１３を介して移動機制御部１６で受信（Ｓ３１）する。移動機制御部１６は、上記のようにして発信側電番を受信すると、提示情報管理テーブル１５の「着信先」フィールドを参照（図２０参照）して、上記発信側電番（０９０１１１１１１１１）に合致する電番（電話番号）が該提示情報管理テーブル１５の当該「着信先」フィールドにあるか否かを判断（Ｓ３２）し、その判断（Ｓ３２）で、上記発信側電番に合致する電番が見つかった判断された（Ｓ３２でＹＥＳ）ときは、上記発信側電番「０９０１１１１１１１１」に対して設定された開示してよい情報のＩＤおよびその情報の提示方法が示された情報を記憶部１４にアクセスして読込む（Ｓ３３）。本例では、着信先：０９０１１１１１１１１（電番）の移動機に対してＩＤ（１）、ＩＤ（３）、ＩＤ（５）に登録された情報がそれぞれのＩＤに対応付けられた情報提示方法を示す情報と共に読込まれることになる。例えば、情報ＩＤがＩＤ（３）、情報提示方法が「画像」のような場合、記憶部１４から読込まれるＩＤ（３）の情報は、ホームページ等から得た写真データやイラストなどの静止画像がデジタル・データとしてファイル化された情報となる。
【００８３】
一方、上記判断（Ｓ３２）で、発信側電番に合致する電番（電話番号）が見つからなかったと判断された（Ｓ３２でＮＯ）ときは、該提示情報管理テーブル１５の「着信先」フィールドを参照し、「その他」に対して設定された開示してよい情報のＩＤおよびその情報の提示方法が示された情報を記憶部１４にアクセスして読込む（Ｓ３５）。この場合、ＩＤ（１）、ＩＤ（３）に登録された情報がそれぞれのＩＤに対応付けられた情報提示方法を示す情報と共に読込まれることになる。
【００８４】
上記のようにして移動機制御部１６が記憶部１４から読込んだ上記情報は、無線制御部１３、無線部１１を介して移動体交換網側へと送信（Ｓ３４）される。上記情報は、移動体網側の移動体交換装置２４０から基地局制御装置Ａ２３０、基地局Ａ２２０を介して移動機Ａ２１０に送信され、該移動機Ａ２１０で受信された後、所定の情報提示方法にてユーザに提供される。
【００８５】
上記のようにして移動機Ａ２１０に対する提示情報の提供が開始されると、移動機Ｂ２１１からの着呼応答がないかぎり該提示情報の提供が継続される。しかし、移動機Ｂ２１１から着呼応答があった場合、移動機Ａ２１０では、当該着呼応答信号（割り込み）の受信が行われ、移動機Ｂ２１１ユーザがオフフックした時点で該移動機Ｂ２１１との通話が行えるようになっている。
【００８６】
また、本実施の形態３では、移動機Ａ２１０のユーザが通信相手の状況等や特定の情報を得たい場合、その得たい情報に付与されているＩＤを着信側移動機の番号を入力する際に入力すればよい。その場合、移動機Ａ２１０から送信される発呼信号に特定のＩＤを表す情報が含まれて移動体交換装置２４０を介して着信側の移動機Ｂ２１１に送信される。そして、該移動機Ｂ２１１の移動機制御部１６でその特定されたＩＤの情報を記憶部１４から読込んで移動機Ａ２１０に向けて送信するので、移動機Ａ２１０ユーザは、欲しい情報のＩＤを指定するだけでそのＩＤに登録された情報のみを発呼中に得ることができる。
【００８７】
以上説明したように、本実施の形態３では、移動機Ａ２１０が着信相手を呼出している間、移動機Ｂ２１１内の記憶部１４に登録された情報が提示情報管理テーブル１５に設定された内容に従って該移動機Ａ２１０ユーザに提供される。例えば、自移動機で設定している着信メロディ等の情報を提示情報として記憶部１４に登録することにより、呼出す側、呼出される側共に同じメロディを利用することが可能になる。従って、本実施の形態３によれば、発呼中のときに単純な呼出音しかユーザに提示されていなかった従来と比較して、移動機ユーザにとって価値のある情報をユーザの希望する出力形態で該ユーザに提供することが可能となるので、ユーザの利便性を向上させることができる。
【００８８】
尚、上述した実施の形態１〜実施の形態３においては、通信端末として携帯電話等の『移動機』を想定して説明を行ったが、本発明は、通信端末が移動機に限定されない。例えば、通信端末を『固定電話』としてもよい。その場合、移動機と通信を行う移動通信網に対応する網は、固定通信網となる。
【００８９】
上記例において、移動機Ａ１０内記憶部１４の記憶機能が提示情報格納手段及び識別情報格納手段に、加入者ＤＢ１５０内の加入者情報記憶部８１の記憶機能が提示情報格納手段、識別情報格納手段、発着信通信端末情報格納手段に対応する。また、移動機Ａ１０の送信制御ブロック（無線部１１、短距離無線部１２、無線制御部１３、移動機制御部１６）及び移動体交換装置１４０内の送信制御ブロック（提示情報管理テーブル制御部７２、データ送信部７４）の送信制御機能が提示情報送信制御手段に対応する。更に、移動機Ａ１０内の提示情報管理テーブル１５の管理機能が提示情報管理手段、順位付手段、着信先提示情報管理手段に、移動体交換装置１４０内の提示情報管理テーブル（発信時）７５、提示情報管理テーブル（着信時）７６の管理機能が提示情報管理手段に対応する。提示情報管理テーブル（発信時）７５が発信時提示情報管理手段に、提示情報管理テーブル（着信時）７６が着信時提示情報管理手段に対応する。また、移動体交換装置１４０内のデータ受信部７１の受信機能が発信先判定手段に、提示情報管理テーブル制御部７２が着信先提示情報選択手段と発信先提示情報選択手段に対応する。
【００９０】
【発明の効果】
以上、説明したように、請求項１乃至９記載の本願発明によれば、通信端末が利用可能な情報を予め登録しておき、通信端末からの発信要求に基づいて該登録された情報を当該通信端末に対して送信するようにしているので、通信発信者に対して呼出音に代わり各種情報を提供することが可能となる。
【００９１】
また、請求項１０乃至１５記載の本願発明によれば、通信端末で利用可能な情報を当該通信端末内に予め登録しておき、通信端末からの発信要求に基づいて該登録された情報を当該通信端末に対して送信することのできる通信端末を実現することができる。
【００９２】
更に、請求項１６乃至２１記載の本願発明によれば、通信端末で利用可能な情報をネットワーク装置内に予め登録しておき、通信端末からの発信要求に基づいて該登録された情報を当該通信端末に対して送信することのできるネットワーク装置を実現することができる。
【図面の簡単な説明】
【図１】本発明の実施の形態１に係る移動通信システムの構成例を示す図である。
【図２】図１に示す移動機Ａのブロック図である。
【図３】移動機Ａ内の記憶部に登録される提示情報Ａ１〜Ａ３の情報格納フォーマットの一例を示す図である。
【図４】提示情報管理テーブルのフォーマット例を示す図である。
【図５】提示情報管理テーブルに提示情報（Ａ１〜Ａ３のいずれか）とその提示情報の提示方法を設定する処理の一例を示すフローチャートである。
【図６】図３に示す提示情報管理テーブルに情報が登録された後の該提示情報管理テーブルの表示例を示す図である。
【図７】発信側の移動機Ａの記憶部にアクセスして情報提示を行う際の該移動機Ａでの処理の一例を示すフローチャートである。
【図８】本発明の実施の形態２に係る移動通信システムの構成例を示す図である。
【図９】図８に示す移動機Ａのブロック図である。
【図１０】図８に示す移動体交換装置の構成例を示す図である。
【図１１】図８に示す加入者ＤＢ（データベース）の構成例を示す図である。
【図１２】加入者情報記憶部に登録される提示情報Ｂ１、Ｂ２の登録例を示す図である。
【図１３】提示情報管理テーブル（発信側）のフォーマット例を示す図である。
【図１４】提示情報管理テーブル（着信側）のフォーマット例を示す図である。
【図１５】提示情報管理テーブル（発信側）の設定内容の一例を示す図である。
【図１６】提示情報管理テーブル（着信側）の設定内容の一例を示す図である。
【図１７】提示情報管理テーブル（発信時、着信時）に設定された内容に従って移動機Ａに情報提供する場合の移動体網側の処理例を示すフローチャート
【図１８】本発明の実施の形態３に係る移動通信システムの構成例を示す図である。
【図１９】移動機Ｂ内の提示情報管理テーブルの一例を示す図である。
【図２０】図１９に示す提示情報管理テーブルに情報が登録された後の一例を示す図である。
【図２１】提示情報管理テーブルに設定された内容に従って移動機Ａに情報提供する場合の着信側移動機Ｂでの処理の一例を示すフローチャート
【符号の説明】
１０、１１０、２１０  移動機Ａ
１０１  記憶部
１１、６１  無線部
１２  短距離無線部
１３、６２  無線制御部
１４、６３  記憶部
１５  提示情報管理テーブル
１６、６４  移動機制御部
１７、６５  提示情報出力部
１８、６６、８４  入力部
１９、６７、７８  制御バス
２０  基地局
３０  基地局制御装置
４０  移動体交換装置
７１  データ受信部
７２  提示情報テーブル制御部
７３  交換処理部
７４  データ受信部
７５  提示情報管理テーブル（発信時）
７６  提示情報管理テーブル（着信時）
７７  加入者ＤＢアクセス部
８１  加入者情報記憶部
８２  移動体交換装置アクセス部
８３  制御部
８５  出力部
１１１、２１１  移動機Ｂ
１２０、２２０  基地局Ａ
１２１、２２１  基地局Ｂ
１３０、２３０  基地局制御装置Ａ
１３１、２３１  基地局制御装置Ｂ
１４０、２４０  移動体交換装置
１５０  加入者ＤＢ
【図１】
0003883104.tif 000002
【図２】
0003883104.tif 000003
【図３】
0003883104.tif 000004
【図４】
0003883104.tif 000005
【図５】
0003883104.tif 000006
【図６】
0003883104.tif 000007
【図７】
0003883104.tif 000008
【図８】
0003883104.tif 000009
【図９】
0003883104.tif 000010
【図１０】
0003883104.tif 000011
【図１１】
0003883104.tif 000012
【図１２】
0003883104.tif 000013
【図１３】
0003883104.tif 000014
【図１４】
0003883104.tif 000015
【図１５】
0003883104.tif 000016
【図１６】
0003883104.tif 000017
【図１７】
0003883104.tif 000018
【図１８】
0003883104.tif 000019
【図１９】
0003883104.tif 000020
【図２０】
0003883104.tif 000021
【図２１】
0003883104.tif 000022